(57)【要約】【課題】複数対の段ロールを機内に移動可能に備え、各段ロールを切替えて種類の異なるフルート形状の片面段ボールシートを製造するシングルフェーサ及びその段ロール切替方法において、使用位置にある段ロールの位置決め固定に対する安定性を向上させること。交換作業を含めた段ロールの切替作業を簡素化させること。【解決手段】装置本体３に複数対の段ロール１１、１２、２１、２２を使用位置と休止位置との間で移動可能に備え、各対の段ロールを切替えて種類の異なるフルート形状の片面段ボールシートを製造するシングルフェーサ１００であって、各対の段ロールを上下方向に並べて軸支した複数個のカートリッジを備え、その内、段ロールの使用位置にある使用カートリッジ１を段ロールの休止位置にある休止カートリッジ２が下方から支持したことを特徴とする。【選択図】図１
2015024577.tif 000002
【特許請求の範囲】
【請求項１】
装置本体に複数対の段ロールを使用位置と休止位置との間で移動可能に備え、各対の段ロールを切替えて種類の異なるフルート形状の片面段ボールシートを製造するシングルフェーサであって、
前記各対の段ロールを上下方向に並べて軸支した複数個のカートリッジを備え、その内、前記段ロールの使用位置にある使用カートリッジを前記段ロールの休止位置にある休止カートリッジが下方から支持したことを特徴とするシングルフェーサ。
【請求項２】
請求項１に記載されたシングルフェーサにおいて、
前記装置本体には、前記使用カートリッジを係止する係止部材と、前記休止カートリッジを上方に押圧する作動部材とを設けたことを特徴とするシングルフェーサ。
【請求項３】
請求項２に記載されたシングルフェーサにおいて、
前記係止部材がクランプ機構であり、前記作動部材が油圧ジャッキであることを特徴とするシングルフェーサ。
【請求項４】
請求項１乃至請求項３のいずれか１項に記載されたシングルフェーサにおいて、
前記装置本体には、前記使用カートリッジ及び前記休止カートリッジを、前記使用位置と前記休止位置との間で上下方向に昇降させる昇降装置と、前記休止位置から横方向に退避させる搬送装置とを設けたことを特徴とするシングルフェーサ。
【請求項５】
請求項１乃至請求項４のいずれか１項に記載されたシングルフェーサの段ロール切替方法であって、
前記使用カートリッジ及び前記休止カートリッジは、機内でそれぞれ別々に退避させた後で、前記使用カートリッジと前記休止カートリッジとを前記休止位置を経由して入れ替えて、段ロールの切替作業を行うことを特徴とするシングルフェーサの段ロール切替方法。
【発明の詳細な説明】
【技術分野】
【０００１】
本発明は、シングルフェーサ及びその段ロール切替方法に関する。特に、複数対の段ロールを機内に備え、各段ロールを切替えて種類の異なる波形段（以下、「フルート形状」という。）の片面段ボールシートを製造するシングルフェーサ及びその段ロールの切替方法に関する。
【背景技術】
【０００２】
一般に、シングルフェーサは、平坦な中芯用原紙からフルート形状を形成した中芯紙の段頂部に平坦な裏ライナ紙を貼り合わせた片面段ボールシートを製造する装置である。
近年、種類の異なるフルート形状の片面段ボールシートを1台のシングルフェーサで製造するニーズが高まり、複数対の段ロール（上段ロールと下段ロールの組合せ）を機内に備え、必要に応じて各段ロールを切替えることができるシングルフェーサが開発されている（特許文献１、２を参照）。
【０００３】
例えば、特許文献１に開示されたシングルフェーサの発明は、波形の異なる複数対の段ロールを軸方向両端に設けた摺動部材に上下方向で配置すると共に、摺動部材をフレーム（装置本体）に対して、上記複数対の段ロールのうち各下段ロールとプレスロールとを適時圧接可能に直線移動が自在に設けたことを特徴としている。特許文献１の発明によれば、摺動部材をフレームに対して上下方向に直線移動することで、必要とする段ロールに短時間で切り替えることが可能である。
また、特許文献２に開示されたシングルフェーサの発明は、少なくとも２対の段ロールをそれぞれ別々の軸受けブラケットに取り付け、各軸受けブラケットは、内側の使用位置と外側の休止位置との間で軸旋回可能に支持体（装置本体）に設けたことを特徴としている。特許文献２の発明によれば、軸受けブラケットを内外方向に旋回させることで、必要とする段ロールに短時間で切り替えることが可能である。
【先行技術文献】
【特許文献】
【０００４】
【特許文献１】特開昭６３−１１５７３１号公報
【特許文献２】米国特許第４８１８３３０号公報
【発明の概要】
【発明が解決しようとする課題】
【０００５】
しかしながら、上述した特許文献１、２の発明には、以下のような問題があった。
すなわち、特許文献１の発明では、摺動部材をフレームの上方位置に直線移動させて、摺動部材の下側に設けた１対の段ロールを使用して片面段ボールシートを製造する場合、摺動部材の下方に空間が空き、摺動部材を下方から支持する部材が存在しない。複数対の段ロールを設けた摺動部材は、例えば、７〜８トン程度の重量物であるため、摺動部材の下方に空間が空き、摺動部材を下側から支持する部材が存在しないと、段ロールのフレームへの位置決め固定が不安定となりやすい。特に、片面段ボールシートの製造時に、段ロールの位置決め固定が不安定であると、中芯紙の成形不良や中芯紙と裏ライナ紙との貼合わせ不良などが生じやすい問題があった。また、段ロールの位置決め固定が不安定であると、機械振動が増大して、段ロールが摩耗損傷しやすい問題もあった。
また、機内の段ロールが摩耗損傷した場合には、機外の段ロールと交換する必要があるが、この交換作業が必ずしも容易ではない。工場の床面よりも高い位置にある段ロールを摺動部材から取り外す場合、重量物を搬送可能な昇降装置を用いる必要があり、交換作業を含めた段ロールの切替作業に長時間を要することになる。
【０００６】
また、特許文献２の発明においても、重量物である段ロールを取り付けた軸受けブラケットが軸旋回する構成であるので、その位置決め固定が不安定である。そのため、特許文献１の発明と同様に、中芯紙の成形不良や中芯紙と裏ライナ紙との貼合わせ不良などが生じやすく、また、機械振動が増大して、段ロールが摩耗損傷するおそれがあった。
また、段ロールが使用位置と休止位置のいずれにある場合においても、工場の床面より高い位置にあり、交換作業を含めた段ロールの切替作業に長時間を要する問題もあった。
【０００７】
本発明は、上記問題点を解決するためになされたものであり、その第1の目的は、複数対の段ロールを機内に移動可能に備え、各段ロールを切替えて種類の異なるフルート形状の片面段ボールシートを製造するシングルフェーサ及びその段ロール切替方法において、使用位置にある段ロールの位置決め固定に対する安定性を向上させることである。
また、第２の目的は、上記シングルフェーサ及びその段ロール切替方法において、交換作業を含めた段ロールの切替作業を簡素化させることである。
【課題を解決するための手段】
【０００８】
上記課題を解決するために、本発明のシングルフェーサ及びその段ロール切替方法は、次のような構成を有している。
（１）装置本体に複数対の段ロールを使用位置と休止位置との間で移動可能に備え、各対の段ロールを切替えて種類の異なるフルート形状の片面段ボールシートを製造するシングルフェーサであって、
前記各対の段ロールを上下方向に並べて軸支した複数個のカートリッジを備え、その内、前記段ロールの使用位置にある使用カートリッジを前記段ロールの休止位置にある休止カートリッジが下方から支持したことを特徴とする。
【０００９】
本発明においては、各対の段ロールを上下方向に並べて複数個のカートリッジに軸支した上で、段ロールの使用位置にある使用カートリッジを段ロールの休止位置にある休止カートリッジが下方から支持したことによって、装置本体のフレーム強度を補完して、重量物である段ロールの位置決め固定の安定性を向上させたのである。
【００１０】
具体的には、複数対の段ロールを使用位置と休止位置との間で移動可能とすると、装置本体に移動空間が形成され、装置本体のフレーム強度が低下しやすくなる。
しかし、カートリッジは、重量物である段ロールを上下方向に並べて軸支したので、上下方向における強度は高く作られている。
そのため、使用カートリッジを、上下方向における強度が同程度に高い休止カートリッジが下方から支持したことによって、装置本体のフレーム強度を補完して、使用位置にある段ロールを、安定して位置決め固定させることができる。また、下方から支持する休止カートリッジは、工場の床面近くに配置することができるので、交換作業を含めた段ロール切替作業を簡単かつ短時間に行うことができる。
【００１１】
よって、本発明によれば、複数対の段ロールを機内に移動可能に備え、各段ロールを切替えて種類の異なるフルート形状の片面段ボールシートを製造するシングルフェーサにおいて、使用位置にある段ロールの位置決め固定に対する安定性を向上させることができる。また、上記シングルフェーサにおいて、交換作業を含めた段ロールの切替作業を簡素化させることができる。
【００１２】
なお、使用カートリッジを休止カートリッジが支持する方向は、垂直方向に限らず、傾斜方向でも良い。
また、カートリッジを機内に３個以上備えることもできる。この場合、休止カートリッジは、２個以上となるが、その内のいずれか１個の休止カートリッジで使用カートリッジを支持すれば良い。
【００１３】
（２）（１）に記載されたシングルフェーサにおいて、
前記装置本体には、前記使用カートリッジを係止する係止部材と、前記休止カートリッジを上方に押圧する作動部材とを設けたことを特徴とする。
【００１４】
本発明においては、装置本体の移動空間内で、係止部材と作動部材とを介して、装置本体と使用カートリッジ及び休止カートリッジとを上下方向で密着させることができる。そのため、使用カートリッジ及び休止カートリッジは、装置本体の移動空間内に上下方向に立設した支柱の役割を果たすことができ、装置本体のフレーム強度を、より一層高めることができる。
また、係止部材と作動部材とによって、使用カートリッジと休止カートリッジとを上下方向で挟圧して位置決め固定させることができる。そのため、使用カートリッジ及び休止カートリッジは、上下方向のみならず、横方向への位置ズレも生じにくくなる。さらに、使用カートリッジは、休止カートリッジと見掛け上合体して、運転時に発生する使用カートリッジの共振振動は、大幅に減少する。
よって、本発明によれば、装置本体のフレーム強度を高めつつ、使用位置にある段ロールの位置決め固定に対する安定性をより一層向上させ、段ロールの摩耗等も減少させることができる。
【００１５】
なお、使用カートリッジは、休止カートリッジと係合して支持されたことが好ましい。カートリッジが互いに係合されたことによって、位置ズレをより一層防止できる。
また、係止部材は、クランプ機構が好ましい。クランプ機構によれば、使用カートリッジを装置本体のフレームに強固に係止することができる。
さらに、作動部材は、油圧ジャッキが好ましい。油圧ジャッキによれば、必要な押圧力を安定して維持することができる。
【００１６】
（３）（１）又は（２）に記載されたシングルフェーサにおいて、
前記装置本体には、前記使用カートリッジ及び休止カートリッジを、前記使用位置と前記休止位置との間で上下方向に昇降させる昇降装置と、前記休止位置から横方向に退避させる搬送装置とを設けたことを特徴とする。
【００１７】
本発明においては、装置本体に昇降装置と搬送装置とを設けたことによって、重量物である使用カートリッジ及び休止カートリッジを、休止位置から横方向に退避させ、必要な段ロールを軸支するカートリッジは、休止位置を経由して使用位置へ簡単に移動させることができる。そのため、機内における使用カートリッジと休止カートリッジとの切替作業や、機内外におけるカートリッジの交換作業を、簡単かつ短時間に行うことができる。
よって、本発明によれば、交換作業を含めた段ロールの切替作業を簡素化させることができる。
【００１８】
（４）（１）乃至（３）のいずれか１つに記載されたシングルフェーサの段ロール切替方法であって、
前記使用カートリッジ及び前記休止カートリッジは、機内でそれぞれ別々に退避させた後で、前記使用カートリッジと前記休止カートリッジとを前記休止位置を経由して入れ替えて、段ロールの切替作業を行うことを特徴とする。
【００１９】
本発明においては、使用カートリッジ及び休止カートリッジは、一旦、機内に設けたそれぞれ別々の位置（退避位置）に退避させた上で、必要な段ロールを軸支したカートリッジを先に休止位置に戻した後、使用位置に上昇させることにより、使用カートリッジと休止カートリッジとを入れ替える。そのため、使用カートリッジと休止カートリッジとの入れ替え途中に、互いのカートリッジが干渉することはない。また、機内外のカートリッジを交換するときにおいても、交換しないカートリッジを退避位置に退避させことができるので、カートリッジの交換途中に、互いのカートリッジが干渉することはない。
よって、本発明によれば、交換作業を含めた段ロールの切替作業を簡単かつ短時間に行うことができ、簡素化させることができる。
【００２０】
具体的には、使用カートリッジと休止カートリッジとの切替作業を行う際には、以下の手順で行うことができる。
はじめに、休止位置にある休止カートリッジを横方向に形成した一方の移動通路に退避させる。次に、使用位置にある使用カートリッジを休止カートリッジがあった休止位置に下降させ、一方の移動通路とは反対方向にある他方の移動通路に退避させる。その後、一方の移動通路に退避させた休止カートリッジを元の休止位置に戻して、使用位置に上昇させる。最後に、他方の移動通路に退避させた使用カートリッジを、休止位置に移動させて、下方から使用位置に上昇させた新たな使用カートリッジを下方から支持する。以上の手順で、機内のカートリッジの切替作業を簡単に行うことができる。
【００２１】
また、機内のカートリッジと機外のカートリッジとの交換作業を行う際には、以下の手順で行うことができる。
はじめに、機内において、交換しない何れかのカートリッジを移動通路に退避させて、交換する機内のカートリッジを休止位置に移動する。次に、交換する機内のカートリッジは、休止位置から軸方向に移動させて機外に引き出す。その後、機外のカートリッジを機内の休止位置に軸方向から投入する。最後に、投入したカートリッジを使用位置に移動させてから、退避させたカートリッジを休止位置に移動して、新たな使用カートリッジを下方から支持する。以上の手順で、機内外のカートリッジの交換作業を簡単に行うことができる。
【発明の効果】
【００２２】
本発明によれば、複数対の段ロールを機内に移動可能に備え、各段ロールを切替えて種類の異なるフルート形状の片面段ボールシートを製造するシングルフェーサ及びその段ロール切替方法において、使用位置にある段ロールの位置決め固定に対する安定性を向上させることができる。また、本発明によれば、上記シングルフェーサ及びその段ロール切替方法において、交換作業を含めた段ロールの切替作業を簡素化させることができる。
【図面の簡単な説明】
【００２３】
【図１】本実施形態に係るシングルフェーサ（通常運転位置）の正面図である。
【図２】図１に示すシングルフェーサにおいて段ロール切替途中（ステップＰ１）の正面図である。
【図３】図１に示すシングルフェーサにおいて段ロール切替途中（ステップＰ２、Ｐ３）の正面図である。
【図４】図１に示すシングルフェーサにおいて段ロール切替途中（ステップＰ４、Ｐ５）の正面図である。
【図５】図１に示すシングルフェーサにおいて段ロール切替途中（ステップＰ６）の正面図である。
【図６】図１に示すシングルフェーサにおいて段ロール交換途中（ステップＰ７）の側面図である。
【発明を実施するための形態】
【００２４】
次に、本発明に係る実施形態であるシングルフェーサについて、図面を参照して詳細に説明する。はじめに、本実施形態に係るシングルフェーサの全体構成を説明した上で、運転時において段ロールを位置決め固定する方法を説明する。その後、運転停止時において、機内における段ロールの切替方法と、機内外の段ロールの交換方法について、説明する。
【００２５】
＜シングルフェーサの全体構成＞
まず、本実施形態に係るシングルフェーサの全体構造を、図１を用いて説明する。図１に、本実施形態に係るシングルフェーサ（通常運転位置）の正面図を示す。
図１に示すように、本実施形態に係るシングルフェーサ１００は、複数対の段ロールを機内に備え、各段ロールを切替えて種類の異なるフルート形状の片面段ボールシートを製造するシングルフェーサであり、装置本体３と、第１カートリッジ１と、第２カートリッジ２とを備えている。
【００２６】
第１カートリッジ１は、使用位置にある一対の段ロール１１、１２を軸方向両端で軸支したカートリッジである。また、第２カートリッジ２は、休止位置にある一対の段ロール２１、２２を軸方向両端で軸支したカートリッジである。ここでは、段ロールが使用位置にあるカートリッジを、「使用カートリッジ」と云い、段ロールが休止位置にあるカートリッジを、「休止カートリッジ」と云う。
図１においては、第１カートリッジ１が使用カートリッジに該当し、第２カートリッジ２が休止カートリッジに該当する。
なお、「使用位置」は、シングルフェーサ１００の機内で、段ロールを片面段ボールシートの製造に使用するときの位置である。また、「休止位置」は、シングルフェーサ１００の機内で、段ロールを片面段ボールシートの製造に使用せず、休止するときの位置である。
【００２７】
第１カートリッジ１及び第２カートリッジ２は、各対の段ロール１１、１２、２１、２２を取付けるカートリッジ台をそれぞれ有している。各カートリッジ台は、外形形状が正面視で略矩形状をなし、互いに略同程度の大きさに形成されている。各カートリッジ台には、上端に係合凸部１３、２３を備え、下端に係合凹部１４、２４を備え、両側端に凹状の係止座１５、２５が形成されている。
また、各対の段ロール１１、１２、２１、２２の外周面には、種類の異なるフルート形状に対応するため、それぞれ異なる形状の段部が形成されている。
【００２８】
装置本体３は、正面視の外形形状が略矩形状をなすフレーム構造体の機内に、第１カートリッジ１及び第２カートリッジ２が、左右方向に移動できる横移動通路３１、３２と、上下方向に移動できる縦移動通路３３とを備えている。横移動通路３１、３２と縦移動通路３３とは、逆Ｔ字状に交差している。縦移動通路３３には、使用カートリッジとしての第１カートリッジ１が配置されている。また、横移動通路３１、３２の左右方向中央付近には、休止カートリッジとしての第２カートリッジ２が配置されている。横移動通路３１、３２の左右方向両端には、段ロールを切り替えるときに、一時退避する退避空間が形成されている。
【００２９】
横移動通路３１、３２は、装置本体３の工場床面近くの高さで、略水平状に形成されている。横移動通路３１、３２の下端と工場床面との間には、搬送装置６が配設されている。搬送装置６は、カートリッジを載置して横方向に搬送するチェンベルト６１と、チェンベルトを駆動する第１駆動モータ６２とを備えている。チェンベルト６１は、横移動通路３１、３２の左右端まで延伸されている。
横移動通路３１、３２の左右方向中央付近には、休止カートリッジである第２カートリッジ２を上下方向に昇降し、上昇位置で静止保持する油圧ジャッキ４を備えている。
【００３０】
縦移動通路３３は、装置本体３の左右方向中央付近に、略垂直状に形成されている。縦移動通路３３の上下方向中間位置には、係止部材であるクランプ機構３４が通路内方に出没可能に装着されている。クランプ機構３４は、図示しない流体圧シリンダで爪を作動する。クランプ機構３４の爪が、通路内方に突出した時、使用カートリッジである第１カートリッジ１の係止座１５に当接する。クランプ機構３４の爪が係止座１５に当接すると、使用カートリッジである第１カートリッジ１の上方への移動が規制される。
【００３１】
装置本体３には、使用位置と休止位置との間で、第１カートリッジ１又は第２カートリッジ２を昇降する昇降装置５を備えている。昇降装置５は、第２駆動モータ５１と、駆動ベルト５２と、昇降ねじ軸５３と、昇降台５４とを備えている。
第２駆動モータ５１は、装置本体３の上端左隅に駆動軸を上方に向けて配置されている。駆動ベルト５２は、モータ駆動軸側のプーリと昇降ねじ軸５３側のプーリとを連結している。昇降ねじ軸５３は、装置本体３の上端から縦移動通路３３の下端まで延伸され、その上下端で軸支されている。昇降台５４は、昇降ねじ軸５３の回動に伴って昇降する昇降ナット５５に連結されている。昇降台５４は、第１カートリッジ１又は第２カートリッジ２の上端を係止して、縦移動通路３３に沿って移動する。昇降台５４は、装置本体３に配設された案内レール３５に案内されている。
【００３２】
＜運転時において段ロールを位置決め固定する方法＞
次に、運転時において段ロールを位置決め固定する方法を、図１を用いて説明する。
シングルフェーサ１００の運転時においては、使用カートリッジである第１カートリッジ１を、休止カートリッジである第２カートリッジ２が下方から支持している。このとき、油圧ジャッキ４の作動ピン４１は、運転時には、上昇して、カートリッジの下端に当接する。また、第１カートリッジ１の係止座１５にクランプ機構３４の爪が当接している。また、第１カートリッジ１の係合凹部１４には、第２カートリッジ２の係合凸部２３が係合している。
【００３３】
ここで、第１カートリッジ１及び第２カートリッジ２のカートリッジ台は、重量物である段ロールを上下方向に並べて軸支したので、上下方向における強度は高く作られている。
そのため、使用カートリッジである第１カートリッジ１を、上下方向における強度が同程度に高い休止カートリッジである第２カートリッジ２が下方から支持したことによって、装置本体３のフレーム強度を補完して、使用位置にある段ロール１１、１２を、安定して位置決め固定させることができる。
【００３４】
また、係止部材であるクランプ機構３４と作動部材である油圧ジャッキ４とによって、使用カートリッジと休止カートリッジとを上下方向で挟圧して位置決め固定させている。
そのため、使用カートリッジ及び休止カートリッジは、上下方向のみならず、横方向への位置ズレも生じにくくなる。さらに、使用カートリッジは、休止カートリッジと見掛け上合体して、運転時に発生する使用カートリッジの共振振動は、大幅に減少する。
【００３５】
また、第１カートリッジ１の係合凹部１４に、第２カートリッジ２の係合凸部２３が係合することによって、横方向への位置ズレをより一層防止できる。
また、係止部材は、クランプ機構３４であるので、使用カートリッジを装置本体３のフレームにより一層強固に係止することができる。
さらに、作動部材は、油圧ジャッキ４であるので、必要な押圧力を安定して維持することができる。
その結果、使用位置にある段ロール１１、１２は、運転時に安定して位置決め固定される。
【００３６】
＜機内における段ロールの切替方法＞
次に、運転停止時において、機内における段ロールの切替方法を、図２〜図５を用いて説明する。図２に、図１に示すシングルフェーサにおいて段ロール切替途中（ステップＰ１）の正面図を示す。図３に、図１に示すシングルフェーサにおいて段ロール切替途中（ステップＰ２、Ｐ３）の正面図を示す。図４に、図１に示すシングルフェーサにおいて段ロール切替途中（ステップＰ４、Ｐ５）の正面図を示す。図５に、図１に示すシングルフェーサにおいて段ロール切替途中（ステップＰ６）の正面図を示す。
使用カートリッジと休止カートリッジとの切替作業を行う際には、以下の手順（ステップＰ１〜ステップＰ６）で行うことができる。
【００３７】
はじめに、図２に示すステップＰ１において、休止位置にある第２カートリッジ２（休止カートリッジ）を、左横方向に形成した一方の横移動通路３１に退避させる。
具体的には、第２カートリッジ２を支持する油圧ジャッキ４の作動ピン４１が下降して、第２カートリッジ２を搬送装置６のチェンベルト６１に載置する。その後、チェンベルト６１が左横方向に進行して第２カートリッジ２を休止位置から横移動通路３１の退避位置に移動させる。このとき、第１カートリッジ１は、昇降装置５の昇降台５４に係止されて、使用位置にある。
【００３８】
次に、図３に示すステップＰ２、Ｐ３において、使用位置にある第１カートリッジ１（使用カートリッジ）を、休止位置まで下降させた後、右横方向に形成した他方の横移動通路３２に退避させる。
具体的には、ステップＰ２において、クランプ機構３４の爪を縦移動通路３３の外方に退出させる。その後、ステップＰ３において、昇降装置５の第２駆動モータ５１が駆動して昇降ねじ軸５３を回動させ、昇降台５４に係止された第１カートリッジ１を休止位置まで下降させて、チェンベルト６１に載置する。さらに、チェンベルト６１が右横方向に進行して第１カートリッジ１を休止位置から横移動通路３２の退避位置に移動させる。
【００３９】
次に、図４に示すステップＰ４、Ｐ５において、一方の移動通路３１に退避させた第２カートリッジ２を元の休止位置に戻して、使用位置に上昇させる。
具体的には、ステップＰ４において、チェンベルト６１が右横方向に進行して第２カートリッジ２を退避位置から元の休止位置に移動させる。その後、昇降台５４が、第２カートリッジ２を係止して使用位置へ上昇させる。そして、ステップＰ５において、クランプ機構３４の爪を縦移動通路３３の内方に進出させ、第２カートリッジ２の係止座に当接させる。
【００４０】
次に、図５に示すステップＰ６において、他方の移動通路３２に退避させた第１カートリッジ１を、休止位置に移動させて、使用位置に上昇させた第２カートリッジ２（新たな使用カートリッジ）を下方から支持する。
具体的には、チェンベルト６１が左横方向に進行して第１カートリッジ１を退避位置から休止位置に移動させる。その後、油圧ジャッキ４の作動ピン４１が上昇して、第１カートリッジ１を第２カートリッジ２の下端に当接させる。
以上の手順で、機内のカートリッジに取付けた段ロールの切替作業を簡単に行うことができるとともに、切り替えた段ロールの使用位置における位置決め固定を安定化させることができる。
【００４１】
＜機内外における段ロールの交換方法＞
次に、運転停止時において、機内外の段ロールの交換方法を、図６を用いて説明する。図６に、図１に示すシングルフェーサにおいて段ロール交換途中（ステップＰ７）の側面図を示す。
機内のカートリッジと機外のカートリッジとの交換作業を行う際には、以下の手順（ステップＰ７）で行うことができる。
【００４２】
はじめに、機内において、交換しない何れかのカートリッジを横移動通路３１、３２に退避させて、交換する機内のカートリッジを休止位置に移動する。ただし、図６においては、休止位置にある第２カートリッジ２を交換する例であるので、第１カートリッジ１は、使用位置に置いた状態である。
したがって、ステップＰ７において、交換する機内のカートリッジである第２カートリッジ２を、休止位置から軸方向に移動させて機外に引き出す。ここで、装置本体３における引き出し通路には、ローラ７が配置されているので、移動しやすくなっている。また、引き出し通路は、工場床面の高さに近い位置に、略水平状に形成されているので、交換作業に重量物を搬送可能な昇降装置を用いる必要はない。
【００４３】
次に、機外に引き出した第２カートリッジ２を、引き出し通路と同一の高さに形成されたカートリッジ移動台車８に搭載する。カートリッジ移動台車８を作業者が操作して、所定の場所に移動して、機外の新しいカートリッジに交換する。
その後、機外のカートリッジを、カートリッジ移動台車８から機内の休止位置に軸方向から投入する。
なお、投入したカートリッジを使用位置に移動させてから、退避させたカートリッジを休止位置に移動して、新たな使用カートリッジを下方から支持する方法は、前述したステップＰ４〜Ｐ６による。
以上の手順で、機内外のカートリッジの交換作業を簡単に行うことができる。
【００４４】
＜変形例＞
上述した実施形態は、本発明の要旨を変更しない範囲で変更することができる。
上記実施形態では、機内のカートリッジが、第１カートリッジ１及び第２カートリッジ２の場合であるが、必ずしも、これに限ることはない。
例えば、機内のカートリッジを３個以上とすることもできる。この場合は、休止カートリッジが２個以上となるが、２個以上ある休止カートリッジの内の１つが、使用カートリッジを支持すれば良い。残った他の休止カートリッジは、横移動通路３１、３２の退避位置に退避していることになる。
【産業上の利用可能性】
【００４５】
本発明は、複数対の段ロールを機内に備え、各段ロールを切替えて種類の異なるフルート形状の片面段ボールシートを製造するシングルフェーサ及びその段ロールの切替方法として利用できる。
【符号の説明】
【００４６】
１              第１カートリッジ（使用カートリッジ）
２              第２カートリッジ（休止カートリッジ）
３              装置本体
４              油圧ジャッキ（作動部材）
５              昇降装置
６              搬送装置
８              カートリッジ移動台車
１１、１２      段ロール
１３、２３      係合凸部
１４、２４      係合凹部
１５、２５      係止座
２１、２２        段ロール
３１、３２      横移動通路
３３            縦移動通路
３４            クランプ機構（係止部材）
４１            作動ピン
５４            昇降台
６１            チェンベルト
１００          シングルフェーサ
【図１】
2015024577.tif 000003
【図２】
2015024577.tif 000004
【図３】
2015024577.tif 000005
【図４】
2015024577.tif 000006
【図５】
2015024577.tif 000007
【図６】
2015024577.tif 000008